(57)【要約】【課題】建物の外壁をリフォームする際に、作業者を搭乗させる搭乗バケットを、建物の外壁に沿って左右方向及び上下方向に自在に移動できるようにさせると共に、搭乗バケットを確実に安定支持させることで、作業者の安全性を確保できるようにした移動式簡易足場装置の提供。【解決手段】建物１の外壁における立壁部１０の上端面上を移動可能に形成した上部走行装置２及び下部走行装置３と、建物の外壁に沿って垂直方向に延在する状態で、上部走行装置と下部走行装置との間に設けられた昇降ガイドレール４と、この昇降ガイドレールに昇降可能に支持された搭乗バケット６と、昇降ガイドレールの上端部に取り付けられ、巻上ワイヤ５２を搭乗バケット６に連結させたウインチ５と、を備えている。【選択図】      図１
2005009234.tif 000002
【特許請求の範囲】
【請求項１】
建物の外壁における立壁部の上端面上を移動可能に形成した上部走行装置と、
前記上部走行装置よりも下方位置において、建物の外壁における立壁部の上端面上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記搭乗バケットに連結させたウインチと、を備えていることを特徴とした移動式簡易足場装置。
【請求項２】
建物の外壁における立壁部の上縁に沿って移動可能に形成した上部走行装置と、
前記上部走行装置よりも下方位置において、その上部走行装置の移動方向と平行に建物の外壁に沿って張設した走行ガイドワイヤ上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記搭乗バケットに連結させたウインチと、を備えていることを特徴とした移動式簡易足場装置。
【発明の詳細な説明】
【０００１】
【発明の属する技術分野】
本発明は、主に、建物の外壁をリフォームする際に、作業者が建物の外壁に沿って左右方向及び上下方向に自在に移動できるようにした移動式簡易足場装置に関する。
【０００２】
【従来の技術】
従来、建物の外壁をリフォームするに際しては、作業者の足場を確保するために、仮設足場を組み立てるのが一般的である。
しかしながら、この仮設足場は、建物の外壁全面に亘って設置する必要があるため、階数が多い建物では、その足場用部品の点数が膨大になり、運搬、組立、解体に多大な手間と時間がかかるという問題があった。
又、従来、高所作業に際し、作業者の足場を左右方向及び上下方向に移動させるようにした移動式足場装置が知られている（特許文献１参照）
【０００３】
【特許文献１】
実開平２−５８５４７号公報（第２図）
【０００４】
かかる従来の移動式足場装置では、移動用ローラによって足場を左右方向に移動させ、また、ウインチによって足場を昇降させることはできるが、足場がウインチのワイヤだけで吊り支持されたものであるため、風によって揺れ動くなど、足場の支持が不安定になり、建物の外壁に沿って設置する必要がある足場に対して適用するのが困難であるという問題があった。
【０００５】
【発明が解決しようとする課題】
本発明は、上記のような問題を解決するためになされたもので、建物の外壁をリフォームする際に、作業者を搭乗させる搭乗バケットを、建物の外壁に沿って左右方向及び上下方向に自在に移動できるようにさせると共に、搭乗バケットを確実に安定支持させることで、作業者の安全性を確保できるようにした移動式簡易足場装置を提供することを課題としている。
【０００６】
【課題を解決するための手段】
上記の課題を解決するために、本発明の移動式簡易足場装置（請求項１）は、建物の外壁における立壁部の上端面上を移動可能に形成した上部走行装置と、
前記上部走行装置よりも下方位置において、建物の外壁における立壁部の上端面上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記バケットに連結させたウインチと、を備えている構成とした。
この移動式簡易足場装置（請求項１）は、上部走行装置及び下部走行装置の両方共に、建物の外壁における立壁部の上端面上を移動するもので、この上部走行装置と下部走行装置は、同期して同一速度で移動する。
【０００７】
また、本発明の移動式簡易足場装置（請求項２）は、
建物の外壁における立壁部の上縁に沿って移動可能に形成した上部走行装置と、
前記上部走行装置よりも下方位置において、その上部走行装置の移動方向と平行に建物の外壁に沿って張設した走行ガイドワイヤ上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記バケットに連結させたウインチと、を備えている構成とした。
この移動式簡易足場装置（請求項２）は、上部走行装置は建物の外壁における立壁部の上端面上を移動し、下部走行装置は建物の外壁に沿って張設した走行ガイドワイヤ上を移動するもので、この上部走行装置と下部走行装置は、同期して同一速度で移動する。
【０００８】
【発明の実施の形態】
以下、本発明の実施例を図面に示す実施例により説明する。
図１は本発明の第１実施例であって、移動式簡易足場装置の全体側面図、図２はその移動式簡易足場装置の上部を示す正面図、図３は要部の拡大断面図、図４は要部の拡大正面図、図５は図１のＡ部拡大正面図、図６は図３のＢ−Ｂ断面図である。
【０００９】
この移動式簡易足場装置は、建物１（ビル）の外壁における立壁部としてベランダ立壁を利用し、上層階のベランダ立壁１０に上部走行装置２を取り付け、下層階のベランダ立壁１１に下部走行装置３を取り付けている。
この場合、ベランダ立壁１０（１１）として、図２に示すようにフェンス１２が設けられているものを例にとっており、このため、ベランダ立壁１０（１１）の上端部に上から被せて、ボルト１４で固定した走行ガイドカバー１５を設けている。
なお、フェンス等がなく、ベランダ立壁が連続した壁体である場合には、前記走行ガイドカバー１５は不要である。
【００１０】
前記上部走行装置２は、走行ガイドカバー１５の上面に当接する駆動ローラ２０と、走行ガイドカバー１５の外面及び内面に当接する外面サイドローラ２１及び内面サイドローラ２２がユニットフレーム２３にそれぞれ２個づつ取り付けられている。
前記駆動ローラ２０は、走行ガイドカバー１５に対するグリップを高めるために、その外面に滑り止め用のラバーが設けられている。又、２個の駆動ローラ２０，２０は、プーリに掛け回したタイミングベルト２５によって連結され、一方の駆動ローラ２０に連結した電動モータ２６により回転駆動されて走行ガイドカバー１５上を左右方向に移動する。
前記外面サイドローラ２１及び内面サイドローラ２２は、上部走行装置２の振れ止め用であり、内面サイドローラ２２は、ブラケットに形成した長穴２７によって前後に移動調節できるようになっている。
【００１１】
前記下部走行装置３は、上部走行装置２と同構造に形成されており、その説明を省略するが、この下部走行装置３と上部走行装置２は、同期して同一速度で移動する。
【００１２】
そして、前記上部走行装置２と下部走行装置３との間に、建物１の外壁に沿って垂直方向に延在する状態で昇降ガイドレール４が渡されている。
この昇降ガイドレール４は、Ｈ型鋼による左右の柱材４０，４０間に桟材４１が渡された梯子形状に形成され、図５で示すように、ボルト４２、ナット４３で桟材４１，４１を連結して上下方向に継ぎ足すことで、必要な長さに延長できるようになっている。
又、前記上部走行装置２及び下部走行装置３は、ユニットフレーム２３によって、昇降ガイドレール４に対してボルト２８等により着脱可能に取り付けられ、この場合、昇降ガイドレール４の柱材４０に多数の取付穴（図示省略）を、柱材４０の長手方向に一定間隔（例えば、５ｍｍ間隔）で形成することで、その取り付け位置を調節できるようにしている。
【００１３】
前記昇降ガイドレール４には、図６に示すように、左右の柱材４０，４０に対してスライダ６０，６０を摺動可能に係止させることで、搭乗バケット６が昇降可能に支持されている。
【００１４】
又、前記昇降ガイドレール４の上端部には（上部走行装置２でも可）、電動モータ５０によってドラム５１を正逆回転させるようにしたウインチ５が取り付けられ、このウインチ５の巻上ワイヤ５２が前記搭乗バケット６に連結されている。
なお、前記搭乗バケット６には、操縦用リモコン６１が配置され、この操縦用リモコン６１のボタン操作によって、前記上部走行装置２及び下部走行装置３の左右方向の移動、ウインチ５の巻き上げ、巻き下げを無線で行なうことができるようにしている。
なお、図中６２はアンテナである。又、前記電動モータ２６，５０の電源としては、商用電源（ＡＣ電源）を用いている。
又、前記ユニットフレーム２３や昇降ガイドレール４は、アルミ材を使用し、また、搭乗バケット６は、ＦＲＰを用いている。
【００１５】
従って、上記した移動式簡易足場装置は、上部走行装置２及び下部走行装置３の左右方向の移動によって、装置全体を左右方向に移動させることができ、また、ウインチ５の巻き上げ、巻き下げによって、搭乗バケット６を昇降させることができる。
これにより、作業者の搭乗場所となる搭乗バケット６を外壁に沿って左右方向及び上下方向に自在に移動させることができ、従来の仮設足場を組み立てることなく、作業者を任意の位置に移動させることができる。
また、搭乗バケット６が昇降ガイドレール４上をスライドするため、従来のようなワイヤだけで吊り支持したものと異なり、搭乗バケット６を安定させることができ、作業者の安全性を確保することができる。
【００１６】
次に、図７は本発明の第２実施例であって、移動式簡易足場装置の下部走行装置を示す側面図、図８はその下部走行装置の要部を示す断面図である。
【００１７】
建物１（ビル）の外壁には、ベランダがない部分もあり、このような場合、上部走行装置は、屋上の縁部分に設けた立壁部に、前記第１実施例と同様に取り付けることが可能であるが、下部走行装置については、これを取り付ける部位がないことが多い。
このような場合に対処するために、この第２実施例では、外壁の下部に、上部走行装置の移動方向と平行に外壁に沿って走行ガイドワイヤ７を張設し、この走行ガイドワイヤ７上を下部走行装置８が移動できるようにしている。なお、この走行ガイドワイヤ７は、図示省略したが、両端がアンカーに連結され、ターンバックル等で緊張状態に張設されている。
【００１８】
前記下部走行装置８は、走行ガイドワイヤ７の下側に当接する２個の下側ローラ８０，８０と、この下側ローラ８０，８０の間において走行ガイドワイヤ７の上側に当接する１個の上側ローラ８１がユニットフレーム８２にそれぞれ取り付けられている。
前記各ローラ８０，８１は、走行ガイドワイヤ７に対するグリップを高めるために、その外面に縄目加工や滑り止め用のラバーが設けられている。
又、前記２個の下側ローラ８０，８０は、プーリに掛け回したタイミングベルト８３によって連結され、一方の下側ローラ８０と上側ローラ８１とがギヤ８４，８４によって連結されると共に、上側ローラ８１が電動モータ８５に連結されて、この電動モータ８５より前記各ローラ８０，８１が回転駆動されて走行ガイドワイヤ７上を左右方向に移動する。
【００１９】
前記上側ローラ８１は、ユニットフレーム８２に形成した長穴８６によって上下方向に移動可能に支持され、ブラケット８７に当接するカム８８によって、下側ローラ８０との対向間隔を拡縮できるようになっている。
前記カム８８は、クラッチ付きプーリ８９に掛け回したタイミングベルト９０によって前記電動モータ８５に連結されている。
【００２０】
そして、移動式簡易足場装置の設置に際し、走行ガイドワイヤ７を上側ローラ８１と下側ローラ８０の間に通す場合には、電動モータ８５により前記カム８８を図７の点線で示すように回転させて、上側ローラ８１への押し付けを解除させ、又、走行ガイドワイヤ７を上側ローラ８１と下側ローラ８０で挟持させる場合には、電動モータ８５により前記カム８８を図７の実線で示すように半回転させて、上側ローラ８１を押し付けるようにする。
この場合、カム８８にはクラッチ付きプーリ８９が設けられているため、カム８８を回転させる時だけクラッチを繋ぎ、下部走行装置８を移動させる時には、クラッチを切ってカム８８の回転を停止させるようにしている。
なお、前記電動モータ８５の電源としては、バッテリー９１を用いているが、商用電源（ＡＣ電源）を用いてもよい。
【００２１】
また、上記の下部走行装置８は、昇降ガイドレール４の下端に連結され、この場合、昇降ガイドレール４の下端に取り付けた上側フック４５と、下部走行装置８のユニットフレーム８２の上端に取り付けた下側フック９２とを結合させている。なお、下側フック９２には、両フック４５，９２の結合を緊張させるためのターンバックル９３が設けられている。
なお、ユニットフレーム８２の下端には、予備フック９４が取り付けられ、この予備フック９４に作業工具等の容器等を引っ掛けることができるようにしている。
【００２２】
次に、図９は本発明の第３実施例であって、移動式簡易足場装置の全体正面図である。
建物（ビル）の外壁に非常階段が設けられていると、その部分の立壁部は傾斜しており、このような場合、上部走行装置及び下部走行装置は、その傾斜方向に移動させる必要があるが、搭乗バケットについては、これを垂直方向に昇降させるほうが安全である。
このような場合に対処するために、この第３実施例では、昇降ガイドレール４を上端部において屈折可能に形成している。
その屈折構造は、昇降ガイドレール４を、上端部レール４ａと、本体部レール４ｂとで構成し、この上端部レール４ａの下端に設けたブラケットと、本体部レール４ｂの上端に設けたブラケットをピン４ｃにより屈折可能に連結させたものになっている。
このとき、上部走行装置２に設けた２個の駆動ローラ２０，２０が傾斜立壁部１９の上面に対して均等の荷重で当接するように、前記連結部の位置を左右方向に移動調節できるようにしている。
【００２３】
又、搭乗バケット６は、本体部レール４ｂ上でのみ昇降し、その巻上ワイヤ５２は、図示省略したワイヤガイドによって上端部レール４ａ及び本体部レール４ｂのほぼ中心を通るように配索されている。
【００２４】
又、この実施例では、上部走行装置２を傾斜立壁部１９上で移動させ、又、前記第２実施例で示した走行ガイドワイヤ７を傾斜立壁部１９と平行に張設して、下部走行装置８をこの走行ガイドワイヤ７上で走行させるようにしている。
なお、下部走行装置を上部走行装置と同様に、傾斜立壁部上で移動させることも可能であり、この場合には、図示省略したが、前記屈折構造と同様に、昇降ガイドレール４の下端部を下端部レールで形成し、この下端部レールの上端に設けたブラケットと、本体部レールの下端に設けたブラケットをピンにより屈折可能に連結させる構造にする。
【００２５】
【発明の効果】
以上、説明したように、本発明の移動式簡易足場装置にあっては、上部走行装置及び下部走行装置の左右方向の移動によって、装置全体を左右方向に移動させることができ、また、ウインチの巻き上げ、巻き下げによって、搭乗バケットを昇降させることができる。
これにより、作業者の搭乗場所となる搭乗バケットを外壁に沿って左右方向及び上下方向に自在に移動させることができ、従来の仮設足場を組み立てることなく、作業者を任意の位置に移動させることができる。
また、搭乗バケットが昇降ガイドレール上をスライドするため、従来のようなワイヤだけで吊り支持したものと異なり、搭乗バケットを安定させることができ、作業者の安全性を確保することができる。
【図面の簡単な説明】
【図１】本発明の第１実施例であって、移動式簡易足場装置の全体側面図である。
【図２】その移動式簡易足場装置の上部を示す正面図である。
【図３】要部の拡大断面図である。
【図４】要部の拡大正面図である。
【図５】図１のＡ部拡大正面図である。
【図６】図３のＢ−Ｂ断面図である。
【図７】本発明の第２実施例であって、移動式簡易足場装置の下部走行装置を示す側面図である。
【図８】その下部走行装置の要部を示す断面図である。
【図９】本発明の第３実施例であって、移動式簡易足場装置の全体正面図である。
【符号の説明】
１  建物
１０  ベランダ立壁（立壁部）
１１  ベランダ立壁（立壁部）
１２  フェンス
１４  ボルト
１５  走行ガイドカバー
１９  傾斜立壁部（立壁部）
２  上部走行装置
２０  駆動ローラ
２１  外面サイドローラ
２２  内面サイドローラ
２３  ユニットフレーム
２５  タイミングベルト
２６  電動モータ
２７  長穴
２８  ボルト
３  下部走行装置
４  昇降ガイドレール
４ａ  上端部レール
４ｂ  本体部レール
４ｃ  ピン
４０  柱材
４１  桟材
４２  ボルト
４３  ナット
４５  上側フック
５  ウインチ
５０  電動モータ
５１  ドラム
５２  巻上ワイヤ
６  搭乗バケット
６０  スライダ
６１  操縦用リモコン
７  走行ガイドワイヤ
８  下部走行装置
８０  下側ローラ
８１  上側ローラ
８２  ユニットフレーム
８３  タイミングベルト
８４  ギヤ
８５  電動モータ
８６  長穴
８７  ブラケット
８８  カム
８９  クラッチ付きプーリ
９０  タイミングベルト
９１  バッテリー
９２  下側フック
９３  ターンバックル
９４  予備フック
【図１】
2005009234.tif 000003
【図２】
2005009234.tif 000004
【図３】
2005009234.tif 000005
【図４】
2005009234.tif 000006
【図５】
2005009234.tif 000007
【図６】
2005009234.tif 000008
【図７】
2005009234.tif 000009
【図８】
2005009234.tif 000010
【図９】
2005009234.tif 000011
【手続補正書】
【提出日】平成15年12月26日(2003.12.26)
【手続補正１】
【補正対象書類名】明細書
【補正対象項目名】全文
【補正方法】変更
【補正の内容】
【特許請求の範囲】
【請求項１】建物の外壁における立壁部の上端面上を移動可能に形成した上部走行装置と、
前記上部走行装置よりも下方位置において、建物の外壁における立壁部の上端面上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記搭乗バケットに連結させたウインチと、を備え、
前記昇降ガイドレールは、上端部レールと、本体部レールと、下端部レールが屈曲可能に連結されて構成され、
上部走行装置及び下部走行装置を傾斜立壁部上で移動させる場合に、搭乗バケットが本体部レール上で垂直方向に昇降できるように形成されていることを特徴とした移動式簡易足場装置。
【請求項２】建物の外壁における立壁部の上縁に沿って移動可能に形成した上部走行装置と、
前記上部走行装置よりも下方位置において、その上部走行装置の移動方向と平行に建物の外壁に沿って張設した走行ガイドワイヤ上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記搭乗バケットに連結させたウインチと、を備え、
前記昇降ガイドレールは、上端部レールと、本体部レールとが屈曲可能に連結されて構成されると共に、その下端が下部走行装置に屈曲可能に連結され、
上部走行装置を傾斜立壁部上で移動させると共に、下部走行装置を前記傾斜立壁部と平行に張設した走行ガイドワイヤ上で移動させる場合に、搭乗バケットが本体部レール上で垂直方向に昇降できるように形成されていることを特徴とした移動式簡易足場装置。
【発明の詳細な説明】
【０００１】
【発明の属する技術分野】
本発明は、主に、建物の外壁をリフォームする際に、作業者が建物の外壁に沿って左右方向及び上下方向に自在に移動できるようにした移動式簡易足場装置に関する。
【０００２】
【従来の技術】
従来、建物の外壁をリフォームするに際しては、作業者の足場を確保するために、仮設足場を組み立てるのが一般的である。
しかしながら、この仮設足場は、建物の外壁全面に亘って設置する必要があるため、階数が多い建物では、その足場用部品の点数が膨大になり、運搬、組立、解体に多大な手間と時間がかかるという問題があった。
又、従来、高所作業に際し、作業者の足場を左右方向及び上下方向に移動させるようにした移動式足場装置が知られている（特許文献１参照）
【０００３】
【特許文献１】
実開平２−５８５４７号公報（第２図）
【０００４】
かかる従来の移動式足場装置では、移動用ローラによって足場を左右方向に移動させ、また、ウインチによって足場を昇降させることはできるが、足場がウインチのワイヤだけで吊り支持されたものであるため、風によって揺れ動くなど、足場の支持が不安定になり、建物の外壁に沿って設置する必要がある足場に対して適用するのが困難であるという問題があった。
【０００５】
【発明が解決しようとする課題】
本発明は、上記のような問題を解決するためになされたもので、建物の外壁をリフォームする際に、作業者を搭乗させる搭乗バケットを、建物の外壁に沿って左右方向及び上下方向に自在に移動できるようにさせると共に、搭乗バケットを確実に安定支持させることで、作業者の安全性を確保できるようにした移動式簡易足場装置を提供することを課題としている。
【０００６】
【課題を解決するための手段】
上記の課題を解決するために、本発明の移動式簡易足場装置（請求項１）は、
建物の外壁における立壁部の上端面上を移動可能に形成した上部走行装置と、
前記上部走行装置よりも下方位置において、建物の外壁における立壁部の上端面上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記バケットに連結させたウインチと、を備え、
前記昇降ガイドレールは、上端部レールと、本体部レールと、下端部レールが屈曲可能に連結されて構成され、
上部走行装置及び下部走行装置を傾斜立壁部上で移動させる場合に、搭乗バケットが本体部レール上で垂直方向に昇降できるように形成されている構成とした。
この移動式簡易足場装置（請求項１）は、上部走行装置及び下部走行装置の両方共に、建物の外壁における立壁部の上端面上を移動するもので、この上部走行装置と下部走行装置は、同期して同一速度で移動する。
【０００７】
また、本発明の移動式簡易足場装置（請求項２）は、
建物の外壁における立壁部の上縁に沿って移動可能に形成した上部走行装置と、
前記上部走行装置よりも下方位置において、その上部走行装置の移動方向と平行に建物の外壁に沿って張設した走行ガイドワイヤ上を移動可能に形成した下部走行装置と、
建物の外壁に沿って垂直方向に延在する状態で、前記上部走行装置と下部走行装置との間に設けられた昇降ガイドレールと、
この昇降ガイドレールに昇降可能に支持された搭乗バケットと、
前記上部走行装置又は昇降ガイドレールの上端部に取り付けられ、巻上ワイヤを前記バケットに連結させたウインチと、を備え、
前記昇降ガイドレールは、上端部レールと、本体部レールとが屈曲可能に連結されて構成されると共に、その下端が下部走行装置に屈曲可能に連結され、
上部走行装置を傾斜立壁部上で移動させると共に、下部走行装置を前記傾斜立壁部と平行に張設した走行ガイドワイヤ上で移動させる場合に、搭乗バケットが本体部レール上で垂直方向に昇降できるように形成されている構成とした。
この移動式簡易足場装置（請求項２）は、上部走行装置は建物の外壁における立壁部の上端面上を移動し、下部走行装置は建物の外壁に沿って張設した走行ガイドワイヤ上を移動するもので、この上部走行装置と下部走行装置は、同期して同一速度で移動する。
【０００８】
【発明の実施の形態】
図１は本発明の第１参考例であって、移動式簡易足場装置の全体側面図、図２はその移動式簡易足場装置の上部を示す正面図、図３は要部の拡大断面図、図４は要部の拡大正面図、図５は図１のＡ部拡大正面図、図６は図３のＢ−Ｂ断面図である。
【０００９】
この移動式簡易足場装置は、建物１（ビル）の外壁における立壁部としてベランダ立壁を利用し、上層階のベランダ立壁１０に上部走行装置２を取り付け、下層階のベランダ立壁１１に下部走行装置３を取り付けている。
この場合、ベランダ立壁１０（１１）として、図２に示すようにフェンス１２が設けられているものを例にとっており、このため、ベランダ立壁１０（１１）の上端部に上から被せて、ボルト１４で固定した走行ガイドカバー１５を設けている。
なお、フェンス等がなく、ベランダ立壁が連続した壁体である場合には、前記走行ガイドカバー１５は不要である。
【００１０】
前記上部走行装置２は、走行ガイドカバー１５の上面に当接する駆動ローラ２０と、走行ガイドカバー１５の外面及び内面に当接する外面サイドローラ２１及び内面サイドローラ２２がユニットフレーム２３にそれぞれ２個づつ取り付けられている。
前記駆動ローラ２０は、走行ガイドカバー１５に対するグリップを高めるために、その外面に滑り止め用のラバーが設けられている。又、２個の駆動ローラ２０，２０は、プーリに掛け回したタイミングベルト２５によって連結され、一方の駆動ローラ２０に連結した電動モータ２６により回転駆動されて走行ガイドカバー１５上を左右方向に移動する。
前記外面サイドローラ２１及び内面サイドローラ２２は、上部走行装置２の振れ止め用であり、内面サイドローラ２２は、ブラケットに形成した長穴２７によって前後に移動調節できるようになっている。
【００１１】
前記下部走行装置３は、上部走行装置２と同構造に形成されており、その説明を省略するが、この下部走行装置３と上部走行装置２は、同期して同一速度で移動する。
【００１２】
そして、前記上部走行装置２と下部走行装置３との間に、建物１の外壁に沿って垂直方向に延在する状態で昇降ガイドレール４が渡されている。
この昇降ガイドレール４は、Ｈ型鋼による左右の柱材４０，４０間に桟材４１が渡された梯子形状に形成され、図５で示すように、ボルト４２、ナット４３で桟材４１，４１を連結して上下方向に継ぎ足すことで、必要な長さに延長できるようになっている。
又、前記上部走行装置２及び下部走行装置３は、ユニットフレーム２３によって、昇降ガイドレール４に対してボルト２８等により着脱可能に取り付けられ、この場合、昇降ガイドレール４の柱材４０に多数の取付穴（図示省略）を、柱材４０の長手方向に一定間隔（例えば、５ｍｍ間隔）で形成することで、その取り付け位置を調節できるようにしている。
【００１３】
前記昇降ガイドレール４には、図６に示すように、左右の柱材４０，４０に対してスライダ６０，６０を摺動可能に係止させることで、搭乗バケット６が昇降可能に支持されている。
【００１４】
又、前記昇降ガイドレール４の上端部には（上部走行装置２でも可）、電動モータ５０によってドラム５１を正逆回転させるようにしたウインチ５が取り付けられ、このウインチ５の巻上ワイヤ５２が前記搭乗バケット６に連結されている。
なお、前記搭乗バケット６には、操縦用リモコン６１が配置され、この操縦用リモコン６１のボタン操作によって、前記上部走行装置２及び下部走行装置３の左右方向の移動、ウインチ５の巻き上げ、巻き下げを無線で行なうことができるようにしている。
なお、図中６２はアンテナである。又、前記電動モータ２６，５０の電源としては、商用電源（ＡＣ電源）を用いている。
又、前記ユニットフレーム２３や昇降ガイドレール４は、アルミ材を使用し、また、搭乗バケット６は、ＦＲＰを用いている。
【００１５】
従って、上記した移動式簡易足場装置は、上部走行装置２及び下部走行装置３の左右方向の移動によって、装置全体を左右方向に移動させることができ、また、ウインチ５の巻き上げ、巻き下げによって、搭乗バケット６を昇降させることができる。
これにより、作業者の搭乗場所となる搭乗バケット６を外壁に沿って左右方向及び上下方向に自在に移動させることができ、従来の仮設足場を組み立てることなく、作業者を任意の位置に移動させることができる。
また、搭乗バケット６が昇降ガイドレール４上をスライドするため、従来のようなワイヤだけで吊り支持したものと異なり、搭乗バケット６を安定させることができ、作業者の安全性を確保することができる。
【００１６】
次に、図７は本発明の第２参考例であって、移動式簡易足場装置の下部走行装置を示す側面図、図８はその下部走行装置の要部を示す断面図である。
【００１７】
建物１（ビル）の外壁には、ベランダがない部分もあり、このような場合、上部走行装置は、屋上の縁部分に設けた立壁部に、前記第１参考例と同様に取り付けることが可能であるが、下部走行装置については、これを取り付ける部位がないことが多い。
このような場合に対処するために、この第２参考例では、外壁の下部に、上部走行装置の移動方向と平行に外壁に沿って走行ガイドワイヤ７を張設し、この走行ガイドワイヤ７上を下部走行装置８が移動できるようにしている。なお、この走行ガイドワイヤ７は、図示省略したが、両端がアンカーに連結され、ターンバックル等で緊張状態に張設されている。
【００１８】
前記下部走行装置８は、走行ガイドワイヤ７の下側に当接する２個の下側ローラ８０，８０と、この下側ローラ８０，８０の間において走行ガイドワイヤ７の上側に当接する１個の上側ローラ８１がユニットフレーム８２にそれぞれ取り付けられている。
前記各ローラ８０，８１は、走行ガイドワイヤ７に対するグリップを高めるために、その外面に縄目加工や滑り止め用のラバーが設けられている。
又、前記２個の下側ローラ８０，８０は、プーリに掛け回したタイミングベルト８３によって連結され、一方の下側ローラ８０と上側ローラ８１とがギヤ８４，８４によって連結されると共に、上側ローラ８１が電動モータ８５に連結されて、この電動モータ８５より前記各ローラ８０，８１が回転駆動されて走行ガイドワイヤ７上を左右方向に移動する。
【００１９】
前記上側ローラ８１は、ユニットフレーム８２に形成した長穴８６によって上下方向に移動可能に支持され、ブラケット８７に当接するカム８８によって、下側ローラ８０との対向間隔を拡縮できるようになっている。
前記カム８８は、クラッチ付きプーリ８９に掛け回したタイミングベルト９０によって前記電動モータ８５に連結されている。
【００２０】
そして、移動式簡易足場装置の設置に際し、走行ガイドワイヤ７を上側ローラ８１と下側ローラ８０の間に通す場合には、電動モータ８５により前記カム８８を図７の点線で示すように回転させて、上側ローラ８１への押し付けを解除させ、又、走行ガイドワイヤ７を上側ローラ８１と下側ローラ８０で挟持させる場合には、電動モータ８５により前記カム８８を図７の実線で示すように半回転させて、上側ローラ８１を押し付けるようにする。
この場合、カム８８にはクラッチ付きプーリ８９が設けられているため、カム８８を回転させる時だけクラッチを繋ぎ、下部走行装置８を移動させる時には、クラッチを切ってカム８８の回転を停止させるようにしている。
なお、前記電動モータ８５の電源としては、バッテリー９１を用いているが、商用電源（ＡＣ電源）を用いてもよい。
【００２１】
また、上記の下部走行装置８は、昇降ガイドレール４の下端に連結され、この場合、昇降ガイドレール４の下端に取り付けた上側フック４５と、下部走行装置８のユニットフレーム８２の上端に取り付けた下側フック９２とを結合させている。なお、下側フック９２には、両フック４５，９２の結合を緊張させるためのターンバックル９３が設けられている。
なお、ユニットフレーム８２の下端には、予備フック９４が取り付けられ、この予備フック９４に作業工具等の容器等を引っ掛けることができるようにしている。
【００２２】
次に、図９は本発明の実施例であって、移動式簡易足場装置の全体正面図である。
建物（ビル）の外壁に非常階段が設けられていると、その部分の立壁部は傾斜しており、このような場合、上部走行装置及び下部走行装置は、その傾斜方向に移動させる必要があるが、搭乗バケットについては、これを垂直方向に昇降させるほうが安全である。
このような場合に対処するために、この実施例では、昇降ガイドレール４を上端部において屈折可能に形成している。
その屈折構造は、昇降ガイドレール４を、上端部レール４ａと、本体部レール４ｂとで構成し、この上端部レール４ａの下端に設けたブラケットと、本体部レール４ｂの上端に設けたブラケットをピン４ｃにより屈折可能に連結させたものになっている。
このとき、上部走行装置２に設けた２個の駆動ローラ２０，２０が傾斜立壁部１９の上面に対して均等の荷重で当接するように、前記連結部の位置を左右方向に移動調節できるようにしている。
【００２３】
又、、搭乗バケット６は、本体部レール４ｂ上でのみ昇降し、その巻上ワイヤ５２は、図示省略したワイヤガイドによって上端部レール４ａ及び本体部レール４ｂのほぼ中心を通るように配索されている。
【００２４】
又、この実施例では、上部走行装置２を傾斜立壁部１９上で移動させ、又、前記第２参考例で示した走行ガイドワイヤ７を傾斜立壁部１９と平行に張設して、下部走行装置８をこの走行ガイドワイヤ７上で走行させるようにしている。
なお、下部走行装置を上部走行装置と同様に、傾斜立壁部上で移動させることも可能であり、この場合には、図示省略したが、前記屈折構造と同様に、昇降ガイドレール４の下端部を下端部レールで形成し、この下端部レールの上端に設けたブラケットと、本体部レールの下端に設けたブラケットをピンにより屈折可能に連結させる構造にする。
【００２５】
【発明の効果】
以上、説明したように、本発明の移動式簡易足場装置にあっては、上部走行装置及び下部走行装置の左右方向の移動によって、装置全体を左右方向に移動させることができ、また、ウインチの巻き上げ、巻き下げによって、搭乗バケットを昇降させることができる。
これにより、作業者の搭乗場所となる搭乗バケットを外壁に沿って左右方向及び上下方向に自在に移動させることができ、従来の仮設足場を組み立てることなく、作業者を任意の位置に移動させることができる。
また、搭乗バケットが昇降ガイドレール上をスライドするため、従来のようなワイヤだけで吊り支持したものと異なり、搭乗バケットを安定させることができ、作業者の安全性を確保することができる。
【図面の簡単な説明】
【図１】本発明の第１参考例であって、移動式簡易足場装置の全体側面図である。
【図２】その移動式簡易足場装置の上部を示す正面図である。
【図３】要部の拡大断面図である。
【図４】要部の拡大正面図である。
【図５】図１のＡ部拡大正面図である。
【図６】図３のＢ−Ｂ断面図である。
【図７】本発明の第２参考例であって、移動式簡易足場装置の下部走行装置を示す側面図である。
【図８】その下部走行装置の要部を示す断面図である。
【図９】本発明の実施例であって、移動式簡易足場装置の全体正面図である。
【符号の説明】
１  建物
１０  ベランダ立壁（立壁部）
１１  ベランダ立壁（立壁部）
１２  フェンス
１４  ボルト
１５  走行ガイドカバー
１９  傾斜立壁部（立壁部）
２  上部走行装置
２０  駆動ローラ
２１  外面サイドローラ
２２  内面サイドローラ
２３  ユニットフレーム
２５  タイミングベルト
２６  電動モータ
２７  長穴
２８  ボルト
３  下部走行装置
４  昇降ガイドレール
４ａ  上端部レール
４ｂ  本体部レール
４ｃ  ピン
４０  柱材
４１  桟材
４２  ボルト
４３  ナット
４５  上側フック
５  ウインチ
５０  電動モータ
５１  ドラム
５２  巻上ワイヤ
６  搭乗バケット
６０  スライダ
６１  操縦用リモコン
７  走行ガイドワイヤ
８  下部走行装置
８０  下側ローラ
８１  上側ローラ
８２  ユニットフレーム
８３  タイミングベルト
８４  ギヤ
８５  電動モータ
８６  長穴
８７  ブラケット
８８  カム
８９  クラッチ付きプーリ
９０  タイミングベルト
９１  バッテリー
９２  下側フック
９３  ターンバックル
９４  予備フック